(57)【特許請求の範囲】
【請求項１】
歩数を計測する手段と、通信手段と、ＧＰＳ対応機能と、を有するユーザ端末と、
前記ユーザ端末から通知されたチェックポイントの位置情報を登録可能なＧＰＳサーバと、
ユーザ端末から通知された歩数情報を格納する歩数情報データベースと、歩数情報データベースに格納されたデータを用いた演算を行う歩数情報管理部と、を有し、前記ユーザ端末から通知された目標歩数を登録可能な歩数情報管理サーバと、を備え、
前記歩数情報管理部は、前記ＧＰＳサーバへ前記ユーザ端末と前記チェックポイントとの位置情報を要求し、前記ユーザ端末が前記チェックポイントの位置に到達したと判断したときに、前記歩数情報データベースに格納された現在の歩数と、登録された目標歩数とを比較して、目標歩数を達成するために必要な歩数を算出して、前記ユーザ端末へ通知することを特徴とする歩数管理システム。
【請求項２】
前記歩数情報管理部は、前記ユーザ端末が前記チェックポイントの位置に到達したと判断したときに、前記歩数情報データベースに格納された歩数情報に基づいて、過去に目標を達成したときの前記チェックポイントに到達した時点の歩数から理想歩数を演算して、前記ユーザ端末へ通知することを特徴とする請求項１記載の歩数管理システム。
【請求項３】
歩数を計測する手段と、通信手段と、乗車管理手段と、を有するユーザ端末と、
ユーザ端末から通知された歩数情報を格納する歩数情報データベースと、歩数情報データベースに格納されたデータを用いた演算を行う歩数情報管理部と、を有し、前記ユーザ端末から通知された目標歩数を登録可能な歩数情報管理サーバと、
前記乗車管理手段に対応する情報を格納し、前記乗車管理手段からの利用開始要求に対し格納した情報に基づいて乗車開始可能か否か判断して、乗車開始許可を前記ユーザ端末および前記歩数情報管理サーバへ通知する乗車管理サーバと、を備え、
前記歩数情報管理部は、前記乗車管理サーバから乗車開始許可の通知を受けたときに、前記歩数情報データベースに格納された現在の歩数と、登録された目標歩数とを比較して、目標歩数を達成するために必要な歩数を算出して、前記ユーザ端末へ通知することを特徴とする歩数管理システム。
【請求項４】
歩数を計測する手段と、通信手段と、入退室管理手段と、を有するユーザ端末と、
前記歩数を計測する手段から通知された歩数情報を格納する歩数情報データベースと、歩数情報データベースに格納されたデータを用いた演算を行う歩数情報管理部と、を有し、前記ユーザ端末から通知された目標歩数を登録可能な歩数情報管理サーバと、
前記入退室管理手段に対応する情報を格納し、前記入退室管理手段からの入室要求に対し格納した情報に基づいて入室可能か否か判断して、入室許可を前記ユーザ端末へ通知するとともに、前記入退室管理手段からの退室要求に対し格納した情報に基づいて退室可能か否か判断して、退室許可を前記ユーザ端末および前記歩数情報管理サーバへ通知する入退室管理サーバと、を備え、
前記歩数情報管理部は、前記入退室管理サーバから退室許可の通知を受けたときに、前記歩数情報データベースに格納された現在の歩数と、登録された目標歩数とを比較して、目標歩数を達成するために必要な歩数を算出して、前記ユーザ端末へ通知することを特徴とする歩数管理システム。
【請求項５】
情報処理装置が実行する歩数管理方法であって、
ユーザ端末から通知された目標歩数を登録するとともに登録完了を返信し、
前記ユーザ端末から通知されたチェックポイントを予め登録したＧＰＳサーバへアクセスし、前記ユーザ端末と予め登録されたチェックポイントとの位置情報を取得し、
前記ユーザ端末が前記チェックポイントに到達したか否か判断し、
前記ユーザ端末が前記チェックポイントに到達したと判断したときに、前記ユーザ端末で計測された歩数情報を格納した歩数情報データベースから現在の歩数を読み出し、現在の歩数と前記目標歩数とを比較して、前記目標歩数を達成するために必要な歩数を算出して、前記ユーザ端末へ通知することを特徴とする歩数管理方法。
【請求項６】
前記情報処理装置は、
前記ユーザ端末が前記チェックポイントの位置に到達したと判断したときに、前記歩数情報データベースに格納された歩数情報に基づいて、過去に目標を達成したときの前記チェックポイントに到達した時点の歩数から理想歩数を演算し、
前記理想歩数を前記ユーザ端末へ通知することを特徴とする請求項５記載の歩数管理方法。
【発明の詳細な説明】
【技術分野】
【０００１】
この発明は、歩数管理システムおよび歩数管理方法に関する。
【背景技術】
【０００２】
近年、健康増進の観点から、ウォーキングは子どもから高齢者まで、幅広い年代が行える運動として注目されている。これに伴い、ウォーキング成果の管理のため、歩数計または歩数計機能を有する機器（以下、歩数計等と言う）が、広く普及して使用されている。
【０００３】
歩数計等の利用者は、例えば、１日の歩数や歩行距離や消費カロリー等の目標を設定して、目標が達成されるようにウォーキングを行うことにより、より効果的に運動を行うことができる。
【先行技術文献】
【特許文献】
【０００４】
【特許文献１】特開２０１２−１９８０８０号公報
【特許文献２】特開２００５−１４７９１６号公報
【非特許文献】
【０００５】
【非特許文献１】ｇｏｏからだログ（ＵＲＬ： http://karada.goo.ne.jp/ ）
【発明の概要】
【発明が解決しようとする課題】
【０００６】
しかしながら、歩数計等の利用者が自ら歩数を意識して確認しなければ、１日の途中で自身の目標の達成度を知ることはなく、利用者が意識しないまま１日が終わってしまうこともあった。また、歩数計等の利用者が漠然と歩数を確認したとしても把握するだけになってしまい、評価することが無いため歩数に関する関心が薄くなってしまう。
【０００７】
また、歩数計等の利用者が、１日の終わりに計測結果を評価して歩数が少なかったと感じても、すぐに行動に移すことがなく、時間の経過に伴い行動への意欲が失われてしまっていた。  
上記のように、健康増進を目的に始めた歩数計測が、習慣化されずにいつの間にか実施されなくなってしまうことも多かった。
【０００８】
この発明は上記事情に着目してなされたもので、その目的とするところは、利用者の目標達成を支援する歩数管理システムおよび歩数管理方法を提供することにある。
【課題を解決するための手段】
【０００９】
上記目的を達成するためにこの発明の第１の観点は、以下のような構成要素を備えている。すなわち、歩数管理システムは、歩数を計測する手段と、通信手段と、を有するユーザ端末と、前記ユーザ端末から通知されたチェックポイントの位置情報を登録可能なＧＰＳサーバと、ユーザ端末から通知された歩数情報を格納する歩数情報データベースと、歩数情報データベースに格納されたデータを用いた演算を行う歩数情報管理部と、を有し、前記ユーザ端末から通知された目標歩数を登録可能な歩数情報管理サーバと、を備え、前記歩数情報管理部は、前記ＧＰＳサーバへ前記ユーザ端末と前記チェックポイントとの位置情報を要求し、前記ユーザ端末が前記チェックポイントの位置に到達したと判断したときに、前記歩数情報データベースに格納された現在の歩数と、登録された目標歩数などの情報を前記ユーザ端末へ通知することで歩数確認を促す。
【００１０】
また、上記目的を達成するためにこの発明の第２の観点は、以下のような構成要素を備えている。すなわち、歩数管理方法は、情報処理装置が実行する歩数管理方法であって、ユーザ端末から通知された目標歩数を登録するとともに登録完了を返信し、ユーザ端末から通知されたチェックポイントを予め登録したＧＰＳサーバへアクセスし、ユーザ端末と予め登録されたチェックポイントとの位置情報を取得し、前記ユーザ端末が前記チェックポイントに到達したか否か判断し、前記ユーザ端末が前記チェックポイントに到達したと判断したときに、前記ユーザ端末で計測された歩数情報を格納した歩数情報データベースから現在の歩数を読み出し、現在の歩数と前記目標歩数とを比較して、前記目標歩数を達成するために必要な歩数を算出して、前記ユーザ端末へ通知する。
【発明の効果】
【００１１】
すなわちこの発明により、利用者の目標達成を支援する歩数管理システムおよび歩数管理方法を提供することができる。
【図面の簡単な説明】
【００１２】
【図１】図１は、第１実施形態の歩数管理システムの一構成例を概略的に示す図である。
【図２】図２は、本実施形態の歩数管理方法の一例について説明するシーケンス図である。
【図３】図３は、第２実施形態の歩数管理システムの一構成例を概略的に示す図である。
【図４】図４は、本実施形態の歩数管理方法の一例を説明するためのシーケンス図である。
【図５】図５は、第３実施形態の歩数管理システムの一構成例を概略的に示す図である。
【図６】図６は、本実施形態の歩数管理方法の一例を説明するためのシーケンス図である。
【図７】図７は、第４実施形態の歩数管理方法の一例を説明するためのシーケンス図である。
【発明を実施するための形態】
【００１３】
以下、図面を参照してこの発明に係わる実施形態を説明する。  
図１は、第１実施形態の歩数管理システムの一構成例を概略的に示す図である。
【００１４】
本実施形態の歩数管理システムは、ユーザ端末１０と、歩数情報管理サーバ２０と、ＧＰＳサーバ３０と、を備えている。  
ユーザ端末１０は、通信機能、後述するＧＰＳサーバ３０へ問い合わせてユーザ端末１０の位置情報を取得するＧＰＳ（global positioning system）対応機能、および、ユーザ端末１０を携帯する利用者の歩数を計測する機能を含む機器である。なお、ユーザ端末１０は、例えば、スマートフォン等、利用者が携帯可能な機器である。
【００１５】
歩数情報管理サーバ２０は、歩数情報管理部２２と、歩数情報データベース２４とを有している。歩数情報データベース２４は、ネットワークを介してユーザ端末１０から受信した歩数のデータを格納する。歩数情報管理部２２は、歩数情報データベース２４に格納された歩数のデータを用いて、種々の演算を行う。
【００１６】
ＧＰＳサーバ３０は、ユーザ端末１０についてチェックポイントの位置を登録するとともに、歩数情報管理サーバ２０からの位置情報の要求に対して、ユーザ端末１０の位置情報を確認して歩数情報管理サーバ２０へ位置情報を提供する。
【００１７】
以下、上記歩数管理システムにおける歩数管理方法の一例について図面を参照して説明する。  
図２は、本実施形態の歩数管理方法の一例について説明するシーケンス図である。  
まず、ユーザ端末１０は、ネットワークを介して利用者の入力に基づく目標歩数を歩数情報管理サーバ２０へ送信する。
【００１８】
歩数情報管理サーバ２０は、ユーザ端末１０から目標歩数を受信すると、ユーザ端末１０のＩＤ等と紐づけて目標歩数を歩数情報データベース２４へ格納し、目標歩数の登録が完了したことをユーザ端末１０へ通知する。
【００１９】
続いて、ユーザ端末１０は、ネットワークを介して利用者の入力に基づくチェックポイントの登録要求をＧＰＳサーバ３０へ送信する。チェックポイントの登録は、地図情報を利用して所定のエリアを指定することができ、複数のポイントを登録可能である。チェックポイントは、緯度および経度で特定される一定のエリアを含んでもよく、例えば、通勤・通学路、駅、学校、会社等の所定の施設であっても良い。また、利用者は実際に歩きながら現在の地点を登録するように設定可能である。
【００２０】
ＧＰＳサーバ３０は、ユーザ端末１０からチェックポイントの登録要求を受信すると、ユーザ端末のＩＤ等と紐づけてチェックポイントの位置を登録し、チェックポイントの登録が完了したことをユーザ端末１０へ通知する。  
上記処理で目標歩数とチェックポイントとの登録が完了する。
【００２１】
なお、図示しないが、ユーザ端末１０は、ネットワークを介して、定期的に測定した歩数を歩数情報管理サーバ２０へ送信する。また、歩数情報管理サーバ２０は、ネットワークを介して、定期的にユーザ端末１０の位置情報とチェックポイントの位置情報とをＧＰＳサーバ３０へ要求する。
【００２２】
ＧＰＳサーバ３０は、歩数情報管理サーバ２０からユーザ端末１０の位置情報とチェックポイントの位置情報との要求を受信すると、ユーザ端末１０とチェックポイントとの位置情報を歩数情報管理サーバ２０へ返す。なお、ユーザ端末１０の位置情報は、ユーザ端末１０から定期的に通知される場合には最新の位置情報を選択する。ＧＰＳサーバ３０は、例えば、歩数情報管理サーバ２０から要求を受けた際に、ユーザ端末１０へ問い合わせをして、必要な情報を取得して位置情報を求めてもよい。
【００２３】
歩数情報管理サーバ２０は、ＧＰＳサーバ３０から受信した位置情報から、ユーザ端末１０の位置がチェックポイントのエリアに含まれるか否かを判断する。  
ユーザ端末１０がチェックポイントのエリアに含まれない場合には、所定期間経過後に再びユーザ端末１０の位置情報とチェックポイントの位置情報とをＧＰＳサーバ３０へ要求する。
【００２４】
ユーザ端末１０がチェックポイントのエリアに含まれる場合には、歩数情報管理サーバ２０は、現在の歩数と目標歩数とを比較して差分を計算し、目標歩数達成までに必要な歩数をユーザ端末１０に通知する。  
また、歩数情報管理サーバ２０は、例えば、過去に目標を達成したときの歩数データの履歴に基づいて、チェックポイントに到達した時点で、目標歩数達成のための理想的な歩数を算出して知らせてもよい。
【００２５】
理想的な歩数は例えば下記の例のように算出することができる。  
（例）  達成した日のデータ  
・Ａ日  ○○時××分：４，５２７歩  
・Ｂ日  ○○時××分：５，５１３歩  
・Ｃ日  ○○時××分：５，０２３歩  
⇒理想歩数＝（４，５２７＋５，５１３＋５，０２３）／３＝５，０２１歩
ユーザ端末１０は、歩数情報管理サーバ２０から歩数情報の通知を受けると、例えば表示手段や音声による通知手段（図示せず）によって利用者へ目標達成までに必要な歩数等を知らせる。
【００２６】
上記のように、本実施形態の歩数管理方法によれば、予め目標歩数とチェックポイントとを登録し、利用者がチェックポイントに到達した時点で目標歩数の達成のために必要な歩数を利用者へ提示することが可能となる。  
例えば、ウォーキングを行う際に、利用者が毎日１０，０００歩を歩くことを目標としていても、いつも歩数を意識している訳ではないため、帰宅してから歩数計を確認した際に目標値に達していない場合がある。利用者は、一旦帰宅したり、家に近い時点で気付いたりしても、これから改めてウォーキングをしようとはなかなか思えない。
【００２７】
これに対し、本実施形態の歩数管理システムおよび歩数管理方法によれば、個々に設定したチェックポイントにおいて目標達成までの歩数を認識することで、利用者が交通手段を徒歩に変えたり、遠回りしたりして目標達成に向けた健康行動を促すことができ、利用者の目標達成を支援することができる。
【００２８】
次に第２実施形態の歩数管理システムおよび歩数管理方法について図面を参照して説明する。なお、以下の説明において、上述の第１実施形態と同様の構成については、同一の符号を付して説明を省略する。
【００２９】
図３は、第２実施形態の歩数管理システムの一構成例を概略的に示す図である。  
本実施形態の歩数管理システムは、例えば、利用者が駅に到着した際やバスに乗る際に、目標歩数の達成のために必要な歩数を利用者へ提示する。
【００３０】
本実施形態の歩数管理システムは、上述の第１実施形態のＧＰＳサーバに代えて乗車管理サーバ４０を備えている。  
ユーザ端末１０は、交通系のＩＣカード機能（乗車管理手段）を更に備え、駅の改札通過（入場や退出）の情報やバスの乗車や降車の情報を、ネットワークを介して乗車管理サーバ４０へ送信する。  
乗車管理サーバ４０は、ユーザ端末１０から受信した改札通過の情報等を、ユーザ端末１０（あるいやユーザ端末１０の乗車管理手段）のＩＤ等の識別子と紐づけて図示しないデータベースへ格納する。
【００３１】
図４は、本実施形態の歩数管理方法の一例を説明するためのシーケンス図である。  
まず、ユーザ端末１０は、ネットワークを介して利用者の入力に基づく目標歩数を歩数情報管理サーバ２０へ送信する。  
歩数情報管理サーバ２０は、ユーザ端末１０から目標歩数を受信すると、ユーザ端末１０のＩＤ等の識別子と紐づけて目標歩数を歩数情報データベース２４へ格納し、目標歩数の登録が完了したことをユーザ端末１０へ通知する。
【００３２】
上記のように目標歩数の登録が完了した後、例えば利用者が駅に入場し、ユーザ端末１０が駅の改札を通過したとき、ユーザ端末１０はネットワークを介して乗車管理サーバ４０へ利用開始（改札入場）要求を送信する。  
乗車管理サーバ４０は、ユーザ端末１０から利用開始要求を受信すると、利用開始処理を行い、利用開始可能か否か判断する。利用開始処理では、例えば、ユーザ端末１０にチャージされている料金や入場した駅の情報等から、利用者が改札を通過可能か（利用開始可能か）否かを判断する。  
乗車管理サーバ４０は、利用開始可能と判断したら、ユーザ端末１０および歩数情報管理サーバ２０へ利用開始許可を通知する。利用開始許可はユーザ端末１０に記録される。
【００３３】
歩数情報管理サーバ２０は、利用開始許可の通知を受け取ると、歩数情報をユーザ端末１０へ通知する。ここで、ユーザ端末１０へ通知する歩数情報は、例えば、目標歩数を達成するために必要な歩数や、過去の歩数データの履歴に基づく同じ改札を通過した時点での理想的な歩数等である。
【００３４】
上記のように、本実施形態の歩数管理システムおよび歩数管理方法によれば、駅に到着した際やバスに乗る際等において目標達成までの歩数を認識することで、利用者が交通手段を変更したり、遠回りしたりして目標達成に向けた健康行動を促すことができ、利用者の目標達成を支援することができる。
【００３５】
なお、上記の実施形態では、ユーザ端末１０が交通系のＩＣカードの機能等の乗車管理手段と一体になっている場合について説明したが、ユーザ端末１０と乗車管理手段とが別体であっても構わない。その場合には、乗車管理手段から乗車管理サーバ４０へ利用開始要求があり、利用開始処理の後に乗車管理手段に利用開始許可が記録されるとともに、乗車管理サーバ４０から歩数情報管理サーバ２０へ利用開始許可の通知が成される。歩数情報管理サーバ２０は、利用開始許可の通知を受け取ると、例えば乗車管理手段のＩＤ等の識別子と紐づけられているユーザ端末１０へ所定の歩数情報を通知する。
【００３６】
次に第３実施形態の歩数管理システムおよび歩数管理方法について図面を参照して説明する。  
本実施形態の歩数管理システムは、例えば、利用者が会社を退出するときに、目標歩数の達成のために必要な歩数を利用者へ提示する。
【００３７】
図５は、第３実施形態の歩数管理システムの一構成例を概略的に示す図である。  
本実施形態の歩数管理システムは、上述の第１実施形態のＧＰＳサーバに代えて、入退室管理サーバ５０を備えている。
【００３８】
本実施形態では、ユーザ端末１０は、例えば、歩数を計測する手段と、通信手段と、入退室のためのセキュリティカードの機能（入退室管理手段）を含んでいる。  
入退室管理サーバ５０は、ユーザ端末１０の入退室管理手段に対応する情報（例えば入退室管理手段のＩＤや、ユーザ種別などの識別子）を格納し、ユーザ端末１０からの入室要求および退室要求に対して、入退室管理手段に対応する情報に基づいて、入室許可および退室許可の判断を行う。
【００３９】
図６は、本実施形態の歩数管理方法の一例を説明するためのシーケンス図である。  
まず、ユーザ端末１０は、ネットワークを介して利用者の入力に基づく目標歩数を歩数情報管理サーバ２０へ送信する。  
歩数情報管理サーバ２０は、ユーザ端末１０から目標歩数を受信すると、ユーザ端末１０のＩＤ等の識別子と紐づけて目標歩数を歩数情報データベース２４へ格納し、目標歩数の登録が完了したことをユーザ端末１０へ通知する。
【００４０】
上記のように目標歩数の登録が完了した後、例えば利用者が会社に入室するために、例えばユーザ端末１０をセキュリティドアの所定位置にかざすと、ユーザ端末１０はネットワークを介して入退室管理サーバ５０へ入室要求を送信する。  
入退室管理サーバ５０は、ユーザ端末１０から入室要求を受信すると、入退室管理手段に対応する情報等に基づいて、入室処理を行う。ここでは、入室処理として、例えば、ユーザ端末１０から受信した識別子と予め登録された入退室許可されている識別子および時間帯等とを比較して入室許可をするか否か判断し、入室許可可能であれば入室時刻等を記録する。ユーザ端末１０から受信した識別子が入室許可されているものである場合、入退室管理サーバ５０は、ユーザ端末１０へ入室許可の通知をする。ユーザ端末１０は入室許可の通知を受け取ると、入室時刻や入室場所等を記録する。
【００４１】
例えば、利用者が会社を退室するために、ユーザ端末１０をセキュリティドアの所定位置にかざすと、ユーザ端末１０はネットワークを介して入退室管理サーバ５０へ退室要求を送信する。
【００４２】
入退室管理サーバ５０は、ユーザ端末１０から退室要求を受信すると、ユーザ端末１０のＩＤ等に基づいて、退室処理を行う。ここでは、退室処理として、例えば、ユーザ端末１０から受信した識別子と予め登録された入退室許可されている識別子および時間帯等とを比較して、退室許可をするか否か判断し、退室許可可能であれば退室時刻等を記録する。ユーザ端末１０から受信した識別子が退室許可されているものである場合、入退室管理サーバ５０は、ユーザ端末１０および歩数情報管理サーバ２０へ退室許可の通知をする。ユーザ端末１０は退室許可の通知を受け取ると、退室時刻や退室場所等を記録する。
【００４３】
歩数情報管理サーバ２０は退室許可の通知を受け取ると、退室時刻や退室場所等の退室情報を取得し、ユーザ端末１０へ歩数情報を通知する。ここで、ユーザ端末１０へ通知する歩数情報は、例えば、目標歩数を達成するために必要な歩数や、過去の歩数データの履歴に基づく退出時の理想的な歩数等である。
【００４４】
上記のように、本実施形態の歩数管理システムおよび歩数管理方法によれば、例えば利用者が会社を退出する際に目標達成までの歩数を認識することで、利用者が交通手段を変更したり、遠回りしたりして目標達成向けた健康行動を促すことができ、利用者の目標達成を支援することができる。
【００４５】
なお、上記の実施形態では、ユーザ端末１０がセキュリティカード機能等の入退室管理手段と一体になっている場合について説明したが、ユーザ端末１０と入退室管理手段とが別体であっても構わない。その場合には、入退室管理手段から入退室管理サーバ５０へ退室要求があったときに、退室処理の後に入退室管理手段に退室許可が記録されるとともに、入退室管理サーバ５０から歩数情報管理サーバ２０へ退室許可の通知が成される。歩数情報管理サーバ２０は、退室許可の通知を受け取ると、入退室管理手段の識別子と紐づけられているユーザ端末１０へ所定の歩数情報を通知する。
【００４６】
図７は、第４実施形態の歩数管理方法の一例を説明するためのシーケンス図である。  
なお、本実施形態の歩数管理システムは、上述の第１実施形態とＧＰＳサーバを備えない点が異なるものであるので、説明を省略する。
【００４７】
本実施形態では、例えば、特定の時刻になったときに、歩数情報管理サーバ２０からユーザ端末１０へ所定の歩数情報を通知するものである。  
この場合、まず、ユーザ端末１０は、ネットワークを介して利用者の入力に基づく目標歩数を歩数情報管理サーバ２０へ送信する。
【００４８】
歩数情報管理サーバ２０は、ユーザ端末１０から目標歩数を受信すると、ユーザ端末１０のＩＤ等と紐づけて目標歩数を歩数情報データベース２４へ格納し、目標歩数の登録が完了したことをユーザ端末１０へ通知する。
【００４９】
続いて、ユーザ端末１０は、ネットワークを介して利用者の入力に基づく通知時刻を歩数情報管理サーバ２０へ送信する。  
歩数情報管理サーバ２０は、ユーザ端末１０から通知時刻を受信すると、ユーザ端末１０のＩＤ等と紐づけて通知時刻を歩数情報データベース２４へ格納し、通知時刻の登録が完了したことをユーザ端末１０へ通知する。
【００５０】
上記のように目標歩数および通知時刻の登録が完了すると、歩数情報管理サーバ２０は時刻管理を行い、通知時刻となった時に、所定の歩数情報をユーザ端末１０へ通知する。ここで、ユーザ端末１０へ通知する歩数情報は、例えば、目標歩数を達成するために必要な歩数や、過去の歩数データの履歴に基づく同時刻の理想的な歩数等である。
【００５１】
上記のように、本実施形態の歩数管理システムおよび歩数管理方法によれば、例えば利用者が通勤や通学により毎日同じ行動をしない場合でも、所定の時刻に目標達成までの歩数を認識することで、利用者が交通手段を変更したり、遠回りしたりして目標達成向けた健康行動を促すことができ、利用者の目標達成を支援することができる。
【００５２】
なお、上述の複数の実施形態において、目標達成までに必要な歩数情報の通知は、利用者の現在の歩数が目標に到達していないときのみで構わない。  
さらに、歩数情報管理サーバ２０は、例えば現在の歩数が一日の目標歩数に達したタイミングで、ユーザ端末１０へ目標の達成を通知してもよい。  
また、複数の利用者の歩数を管理してランキングをつける等の場合には歩数情報管理サーバを用いた方が望ましいが、利用者個人の歩数情報を管理する場合には、ユーザ端末１０が上述の歩数情報管理サーバの機能を備えていてもよい。
【００５３】
チェックポイントなどで現在の歩数情報を知ることができ、日々の生活における活動量が把握できる。また、利用者が目標とした歩数に対する達成状況を帰宅する前に意識させることができるため、目標に達していない場合は挽回するための行動を促す効果が期待できる。更に、利用者自身の過去のデータから、目標達成のためにその時点で理想的な歩数を算出して知らせることで、そのタイミングでの歩数の目安や目標が得られる。
目標を達成することでモチベーションを上げ、継続的な健康行動を行い、結果として健康の維持向上につながる。
【００５４】
なお、この発明は上記実施形態に限定されるものではない。例えば、上述の複数の実施形態は健康管理サービスに応用することができる。常に活動量を意識し自身の目標に対する達成度を知ることで、行動意識を高め、継続的な利用が期待できる。  
また、上述の複数の実施形態は、高齢者向け健康管理サービスに応用することができる。定期的に歩数情報を通知することで、高齢者へ日々の運動を促す効果が期待できる。
【００５５】
その他、上述の複数の実施形態は、この発明の要旨を逸脱しない範囲で種々変形して実施可能である。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５６】
１０…ユーザ端末、２０…歩数情報管理サーバ、２２…歩数情報管理部、２４…歩数情報データベース、３０…ＧＰＳサーバ、４０…乗車管理サーバ、５０…入退室管理サーバ。
【図１】
0006002711.tif 000002
【図２】
0006002711.tif 000003
【図３】
0006002711.tif 000004
【図４】
0006002711.tif 000005
【図５】
0006002711.tif 000006
【図６】
0006002711.tif 000007
【図７】
0006002711.tif 000008